(57)【要約】【課題】回線との接続環境が様々であっても、快適な通話を実現することが可能な電話装置を提供すること。【解決手段】電話装置１００は、アナログ公衆回線１０１と接続されたことを検出すると、自動的に回線を閉結し、ＤＳＰ２０４により擬似音声Ｘｉを生成する。そして、擬似音声Ｘｉの側音成分と適応フィルタ２０６の出力との差が側音制御部２０５に入力される。側音制御部２０５は、上記の差が所定の閾値以下になるように適応フィルタ２０６を制御し、適応フィルタ２０６の伝達関数ｈｉを決定する。送話が開始されると、側音制御部２０５は適応フィルタ２０６で決定された伝達関数ｈｉを適応フィルタ２０６の伝達関数として設定し、この伝達関数ｈｉに基づいて送話信号の側音成分が減衰される。【選択図】　図２
2004007065.tif 000002
【特許請求の範囲】
【請求項１】
回線に送出される信号と前記回線に送出される信号の側音成分とに基づいて、前記回線に送出される信号の側音成分を抑制する側音成分抑制手段を備えることを特徴とする電話装置。
【請求項２】
前記側音成分抑制手段が適応フィルタを備え、
前記適応フィルタは、前記回線に送出される信号と前記回線に送出される信号の側音成分とに基づいて伝達関数を決定し、前記伝達関数と前記回線に送出される信号とに基づいて、前記回線に送出される信号の側音成分の減衰量を算出するものであり、
前記側音成分抑制手段は、前記回線に送出される信号として擬似信号によって決定された伝達関数と前記回線に送出される送話信号とに基づいて、前記回線に送出される送話信号の側音成分を抑制することを特徴とする請求項１記載の電話装置。
【発明の詳細な説明】
【０００１】
【発明の属する技術分野】
本発明は、回線に送出する信号の側音成分を抑制する機能を持った電話装置に関する。
【０００２】
【従来の技術】
図３は、アナログ公衆回線に接続して使用する従来の電話装置の内部構成図である。
同図に示したように、電話装置３００は、アナログ公衆回線３０１と電話装置３００とを接続する為の回線インタフェイス部３０２と、回線インタフェイス部３０２を介して入出力される音声信号を制御する音声制御部３０３と、回線インタフェイス部３０２及び音声制御部３０３を制御するＣＰＵ３０４とを備えて構成される。
【０００３】
又、回線インタフェイス部３０２は、図示しない側音調整器を有する。側音調整器は、回線インタフェイス部３０２からアナログ公衆回線３０１に送出される送話音声のうち回線インタフェイス部３０２の受話系に戻ってくる側音のレベルを減衰させる。
【０００４】
従来の電話装置３００は、この側音調整器によって側音のレベルを減衰させる為、電話装置３００の使用者に側音が戻ることがなくなり、快適な通話を実現している。
【０００５】
【発明が解決しようとする課題】
近年、電話装置とアナログ公衆回線とを接続する環境は多様化しており、ＩＳＤＮのターミナルアダプタのアナログポートやＡＤＳＬのスプリッタ等と電話装置とを接続して使用するユーザが多くなってきている。
【０００６】
上記従来の電話装置は、アナログ公衆回線に接続して使用することを前提としてアナログ公衆回線と電話装置とのインピーダンス整合を行っている為、従来の電話装置をＩＳＤＮのターミナルアダプタのアナログポートやＡＤＳＬのスプリッタ等に接続して使用する場合、アナログ公衆回線と電話装置とのインピーダンス整合がくずれてしまい、ハウリングが発生したり、側音が大きくなってしまったりするという問題点があった。
【０００７】
本発明は、上記問題点に鑑みて為されたものであり、回線との接続環境が様々であっても、快適な通話を実現することが可能な電話装置を提供することを目的とする。
【０００８】
【課題を解決するための手段】
本発明の電話装置は、回線に送出される信号と前記回線に送出される信号の側音成分とに基づいて、前記回線に送出される信号の側音成分を抑制する側音成分抑制手段を備えることを特徴とする。
【０００９】
この構成により、回線と接続する環境に関わらずに側音成分を適切に抑制することが可能な為、回線に接続する環境が様々であっても、快適な通話を実現することができる。
【００１０】
更に、本発明の電話装置は、前記側音成分抑制手段が適応フィルタを備え、前記適応フィルタは、前記回線に送出される信号と前記回線に送出される信号の側音成分とに基づいて伝達関数を決定し、前記伝達関数と前記回線に送出される信号とに基づいて、前記回線に送出される信号の側音成分の減衰量を算出するものであり、前記側音成分抑制手段は、前記回線に送出される信号として擬似信号によって決定された伝達関数と前記回線に送出される送話信号とに基づいて、前記回線に送出される送話信号の側音成分を抑制することを特徴とする。
【００１１】
この構成により、擬似信号によって接続環境毎に最適な伝達関数を決定しておくことで、回線に接続する環境が様々であっても良好な通話が可能となる。
【００１２】
【発明の実施の形態】
以下、本発明の実施形態について図面を参照して説明する。
図１は、本発明の実施形態に係る電話装置の内部構成図である。尚、本実施形態に係る電話装置１００は、アナログ公衆回線、ＩＳＤＮのターミナルアダプタのアナログポート、又はＡＤＳＬのスプリッタ等に接続して使用される。
【００１３】
図１に示したように、電話装置１００は、アナログ公衆回線１０１と電話装置１００とを接続する為の回線インタフェイス部１０２と、回線インタフェイス部１０２を介して入出力される音声信号を制御する音声制御部１０３と、メモリ１０５と、回線インタフェイス部１０２、音声制御部１０３、及びメモリ１０５を制御するＣＰＵ１０４とを備えて構成される。
【００１４】
図２は、本発明の実施形態に係る電話装置の回線インタフェイス部及び音声制御部の内部構成図である。
同図に示したように、回線インタフェイス部１０２は、音声制御部１０３のＤＡ変換器２０２から出力される送話音声をアナログ公衆回線１０１に送出する送話経路とアナログ公衆回線１０１から受信した受話音声を音声制御部１０３のＡＤ変換器２０３に入力する受話経路の２つの経路を有する。又、送話経路を介して送出される送話音声の側音成分は、側音調整器２０１を経由して減衰される。アナログ公衆回線１０１との接続環境がＩＳＤＮのターミナルアダプタのアナログポートやＡＤＳＬのスプリッタ等である場合、インピーダンス整合がくずれる為、送話信号の側音成分は側音調整器２０１で減衰されず、ＡＤ変換器２０３に入力される。
【００１５】
音声制御部１０３は、ＡＤ変換器２０３と、ＤＡ変換器２０２と、デジタルシグナルプロセッサ（ＤＳＰ）２０４と、側音制御部２０５とを備えて構成される。
【００１６】
ＤＳＰ２０４は、電話装置１００がアナログ公衆回線１０１と接続されたことを検出すると、擬似音声（例えばホワイトノイズ等）Ｘｉを生成する。又、ＤＳＰ２０４は適応フィルタ２０６及び減算器２０７を有する。尚、適応フィルタ２０６、減算器２０７、及び側音制御部２０５は、特許請求の範囲の側音成分抑制手段に該当する。
【００１７】
適応フィルタ２０６は、伝達関数ｈｉのフィルタであり、側音制御部２０５の制御により、伝達関数ｈｉを変化させたり、設定された伝達関数で入力信号を出力したりする。減算器２０７は、ＡＤ変換器２０３の出力信号から適応フィルタ２０６の出力信号を減算する。
【００１８】
側音制御部２０５は、減算器２０７の出力信号が所定のしきい値以下になるような伝達関数ｈｉを決定する為に、適応フィルタ２０６を制御する。又、適応フィルタ２０６で決定された伝達関数ｈｉをＣＰＵ１０４を介してメモリ１０５に記録する。更に、側音制御部２０５は、送話が開始されると、メモリ１０５に記録されている伝達関数ｈｉを適応フィルタ２０６の伝達関数に設定する。
【００１９】
次に、電話装置１００の動作について説明する。
まず、電話装置１００がアナログ公衆回線１０１に接続されると、電話装置１００は伝達関数決定モードになり、自動的に回線を閉結する。この状態で、ＤＳＰ２０４から擬似信号Ｘｉが生成され、擬似信号Ｘｉは、ＤＡ変換器２０２と適応フィルタ２０６とに入力される。ＤＡ変換器２０２から出力された擬似信号Ｘｉはアナログ公衆回線１０１に送出されると共に、側音調整器２０１を介してＡＤ変換器２０３に入力される。このとき、送話経路から受話経路へと流れる信号の伝達関数をＨｉとし、アナログ公衆回線１０１からのノイズ信号をＮとすると、ＡＤ変換器２０３に入力される信号の側音成分は、（Ｎ＋Ｈｉ・Ｘｉ）となる。
【００２０】
一方、適応フィルタ２０６に入力された擬似信号Ｘｉは、適応フィルタ２０６の伝達関数がｈｉである為、（ｈｉ・Ｘｉ）の信号として適応フィルタ２０６から出力され、減算器２０７に入力される。
【００２１】
減算器２０７は、ＡＤ変換器２０３の出力信号（Ｎ＋Ｈｉ・Ｘｉ）から適応フィルタ２０６の出力信号（ｈｉ・Ｘｉ）を引いた信号を出力する。そして、出力された信号は側音制御部２０５に入力される。
【００２２】
側音制御部２０５は、入力された信号（Ｎ＋Ｈｉ・Ｘｉ−ｈｉ・Ｘｉ）が所定のしきい値以下となるような伝達関数ｈｉを決定するように適応フィルタ２０６を制御する。尚、適応フィルタ２０６で決定された伝達関数ｈｉはメモリ１０５に記録される。その後、電話装置１００は回線の閉結を解除し、通常モードへと戻る。この一連の動作を、電話装置１００はアナログ公衆回線１０１に接続される度（接続環境が変わる度）に行う。
【００２３】
通常モードの状態で、電話装置１００の使用者が通話を開始すると、マイクロフォン等から入力された送話音声（信号Ａとする）がＤＳＰ２０４に入力される。このとき、側音制御部２０５は、メモリ１０５に記録されている伝達関数ｈｉを適応フィルタ２０６の伝達関数として設定する。そして、信号Ａは上記で説明した擬似信号Ｘｉと同様に各部に伝達され、擬似信号Ｘｉによって決定された伝達関数ｈｉと信号Ａとの積（ｈｉ・Ａ）が、信号Ａの側音成分（Ｎ＋Ｈｉ・Ａ）から減衰される。
【００２４】
以上のように本実施形態によれば、アナログ公衆回線１０１に送出した擬似信号Ｘｉの側音成分と適応フィルタ２０６から出力される信号とから適切な伝達関数ｈｉを求め、送話の際に、求めた伝達関数ｈｉを適応フィルタ２０６に設定することで、側音成分の減衰量を最適な値にすることができ、通話を良好に行うことができる。
【００２５】
又、本実施形態では、電話装置１００とアナログ公衆回線１０１との接続状態が変化しても、その都度、その状態に適した伝達関数ｈｉを求めて、側音を減衰させることができる。したがって、アナログ回線との接続環境が様々であっても、快適な通話を実現することができる。
【００２６】
又、上記の説明では、電話装置１００とアナログ公衆回線１０１とが接続された場合に、自動的に回線を閉結して、擬似信号Ｘｉにより伝達関数ｈｉを決定しているが、電話装置１００に伝達関数ｈｉの決定開始が可能なボタン等を設け、マニュアル操作によって、伝達関数ｈｉの決定を行っても良い。このようにすることで、一旦伝達関数ｈｉが決定された後でも、マニュアル操作により再度、伝達関数ｈｉを決定し直すことができる。
【００２７】
又、上記の説明では、電話装置１００とアナログ公衆回線１０１との接続環境が変わる度に、適応フィルタ２０６の伝達関数ｈｉを事前に求めておくようにしているが、これに限らず、使用者の送話中に伝達関数ｈｉを更新していくようにしても良い。
【００２８】
この場合は、擬似信号を用いずに送話音声を用いて伝達関数ｈｉを決定する。側音制御部２０５は、自身に入力される側音成分が所定のしきい値以下になるような伝達関数ｈｉを決定するように適応フィルタ２０６を常に制御する。このようにすることで、側音の減衰量を送話音声に応じて最適な値に更新していくことができる為、常に良好な通話を行うことができる。
【００２９】
【発明の効果】
本発明によれば、回線との接続環境が様々であっても、快適な通話を実現することが可能な電話装置を提供することができる。
【図面の簡単な説明】
【図１】本発明の実施形態に係る電話装置の内部構成図である。
【図２】本発明の実施形態に係る電話装置の回線インタフェイス部及び音声制御部の内部構成図である。
【図３】アナログ公衆回線に接続して使用する従来の電話装置の内部構成図である。
【符号の説明】
１００，３００　電話装置
１０１，３０１　アナログ公衆回線
１０２，３０２　回線インタフェイス部
１０３，３０３　音声制御部
１０４，３０４　ＣＰＵ
１０５　メモリ
２０１　側音調整器
２０２　ＤＡ変換器
２０３　ＡＤ変換器
２０４　ＤＳＰ
２０５　制御部
２０６　適応フィルタ
２０７　減算器
【図１】
2004007065.tif 000003
【図２】
2004007065.tif 000004
【図３】
2004007065.tif 000005